(57)【特許請求の範囲】
【請求項１】
撮影した画像に対する印刷領域の設定が可能なデジタルカメラであって、
被写体を撮影するための撮像手段と、
撮影した画像を表示するための表示手段と、
印刷領域を示す枠を画像と共に前記表示手段に表示させる表示制御手段とを有し、
前記表示制御手段は、前記枠の拡大指示に応じて、段階的に印刷領域枠を拡大して表示させ、画像よりも前記枠が大きくなったときは段階的に画像を縮小して表示させることを特徴とするデジタルカメラ。
【請求項２】
前記表示制御手段は、印刷用紙情報に応じて印刷領域を示す枠を前記表示手段に表示させることを特徴とする請求項１に記載のデジタルカメラ。
【請求項３】
前記枠または前記画像の移動を指示するための操作キーを有し、
前記表示制御手段は、前記枠より前記画像が大きい場合には、前記操作キーへの指示に応じて前記枠を移動させて表示させ、前記画像より前記枠が大きい場合には、前記操作キーへの指示に応じて前記画像を移動させて表示させることを特徴とする請求項１または２に記載のデジタルカメラ。
【請求項４】
記撮像手段のズーム機能を制御するズームキーを有し、前記枠の拡大指示はズームキーにより行なわれることを特徴とする請求項１ないし３のいずれか１項に記載のデジタルカメラ。
【請求項５】
さらに、操作モード切換えキーを有し、
前記操作モード切換えキーの押下に応じて、前記操作キーが前記枠の拡大指示のためのキーとして機能することを特徴とする請求項３に記載のデジタルカメラ。
【請求項６】
さらに、前記枠または画像の移動を指示するための操作キーとを有し、
前記表示制御手段は、前記枠より前記画像が大きい場合には、前記操作キーへの指示に応じて前記枠を移動させて表示させ、前記画像より前記枠が大きい場合には、前記操作キーへの指示に応じて前記画像を移動させて表示させることを特徴とする請求項１に記載のデジタルカメラ。
【請求項７】
画像に対する印刷領域の設定が可能な画像処理装置であって、
画像を表示するための表示手段と、
印刷領域を示す枠を画像と共に前記表示手段に表示させる表示制御手段とを有し、
前記表示制御手段は、前記枠の拡大指示に応じて、段階的に前記枠を拡大して表示させ、前記画像よりも前記枠が大きくなったときは段階的に前記画像を縮小して表示させることを特徴とする画像処理装置。
【請求項８】
前記枠または前記画像の移動を指示するための操作キーを有し、
前記表示制御手段は、前記枠より前記画像が大きい場合には、前記操作キーへの指示に応じて前記枠を移動させて表示させ、前記画像より前記枠が大きい場合には、前記操作キーへの指示に応じて前記画像を移動させて表示させることを特徴とする請求項７に記載の画像処理装置。
【請求項９】
さらにズームキーを有し、前記枠の拡大指示はズームキーにより行なわれることを特徴とする請求項７または８に記載の画像処理装置。
【請求項１０】
さらに、操作モード切換えキーを有し、
前記操作モード切換えキーの押下に応じて、前記操作キーが前記枠の拡大指示のためのキーとして機能することを特徴とする請求項８に記載の画像処理装置。
【請求項１１】
画像を表示するための表示手段を有し、画像に対する印刷領域の設定が可能な画像処理装置の制御方法であって、
印刷領域を示す枠を画像と共に前記表示手段に表示させる表示制御工程を有し、
前記表示制御工程は、前記枠の拡大指示応じて、前記枠を段階的に拡大して表示させ、前記画像よりも前記枠が大きくなったときは段階的に前記画像を縮小して表示させることを特徴とする画像処理装置の制御方法。
【請求項１２】
前記表示制御工程は、前記枠より画像が大きい場合には、前記枠や前記画像の移動指示応じて前記枠を移動させて表示させ、前記画像より前記枠が大きい場合には、前記枠や画像の移動指示に応じて画像を移動させて表示させることを特徴とする請求項１１に記載の画像処理装置の制御方法。
【発明の詳細な説明】
【技術分野】
【０００１】
本発明は、画像処理装置に関し、特に、画像の印刷設定を入力することができる画像処理装置に関する。
【背景技術】
【０００２】
近年、デジタルカメラにおいて、本体に対して着脱可能なフラッシュメモリカード等の記録媒体を持ち、それに被写体像を撮像し記録、再生を行う機能を搭載する機種が実用化されている。さらには、被写体像のモニタ表示のために、液晶等の表示部を備えているものも多い。また、撮像画像を記録媒体を介してプリンタ等に入力することにより、容易にその画像をプリント出力することができ、プリントする際、画像データの一部を指定して、この指定された画像領域のみを所定の印刷用紙に画像をプリントするものも存在する。このようなデジタルカメラの中には、印刷の際、構図を決定するために用紙のアスペクト比を考慮して印刷する画像に対して黒色マスク処理を行うものもある。（特許文献１参照）
【特許文献１】特開２００４−１０４４９８号公報
【発明の開示】
【発明が解決しようとする課題】
【０００３】
しかしながら、従来のデジタルカメラでは印刷用紙に対して決まった位置に固定の大きさの画像が印刷されるものであったため、印刷される画像の大きさや印刷用紙上の配置を指定して印刷することができなかった。
【０００４】
また、従来のデジタルカメラでは、画像から所望の領域を切り出して、印刷領域として指定することは可能であったが、画像より広い領域を印刷領域として指定することはできなかった。
【０００５】
本発明は上記従来技術の問題を解決するためになされたものであり、その目的は、印刷される領域の大きさと、印刷用紙上の所望する指定場所に印刷する設定を容易にすることができるデジタルカメラを提供することである。
【課題を解決するための手段】
【０００６】
上記のような課題を解決するために、本発明の一形態に係わる画像処理装置は次のような構成を備える。すなわち、
画像に対する印刷領域の設定が可能な画像処理装置であって、画像を表示するための表示手段と、印刷領域を示す枠を画像と共に表示手段に表示させる表示制御手段とを有し、表示制御手段は、枠の拡大指示に応じて、段階的に枠を拡大して表示させ、画像よりも枠が大きくなったときは段階的に画像を縮小して表示させることを特徴とする。
【発明の効果】
【０００９】
本発明によれば、ユーザが意図したレイアウトで画像を印刷する設定を、簡単な操作で設定することができる。
【００１１】
また、画像の拡大縮小と印刷領域枠の拡大縮小の指示を、画像と印刷領域枠の表示状態に応じて一つの指示で行なうことができる。よって、画像の拡大縮小の指示から印刷領域枠の拡大縮小の指示への切り替え等が必要ないので、簡単な操作で画像および印刷領域枠の拡大縮小の指示をすることができる。
【発明を実施するための最良の形態】
【００１３】
以下、本発明における実施例について詳細に述べる。
【００１４】
（実施例１）
図１は、本発明のデジタルビデオカメラを示すブロック図である。
【００１５】
図１において、１０１は被写体を取り込む撮影レンズ、１０２はレンズ駆動モータで、前記撮影レンズを駆動し、後述の撮像素子に被写体像を結像させる。１０３は絞りで、後述の撮像素子への光量を制御する。１０４は撮像素子で、取り込んだ被写体を画像信号に変換する。１０５はＣＤＳ／ＡＧＣで、画像信号のノイズ除去、オートゲインコントロールを行い、適正な信号レベルにする。１０６はデジタル信号処理回路で、前記ＣＤＳ／ＡＧＣ１０５からの画像信号をＡ／Ｄ変換し、デジタル信号処理を行う。１０７ａはＪＰＥＧ処理回路で、デジタル信号処理回路１０６からのデジタル画像信号からインデックス画像を切り出し、静止画としてＪＰＥＧ圧縮すると共に、後述のフラッシュメモリに記録されたＪＰＥＧ圧縮データを伸張する。１０８ａはフラッシュメモリで、ＪＰＥＧ処理回路１０７ａからのＪＰＥＧ圧縮データを記録する。
【００１６】
１０８ｂはＤＶテープで、ＤＶコーデック１０７ｂからのＤＶ圧縮データを記録する。１０９はＮＴＳＣエンコーダで、撮影時にはデジタル信号処理回路１０６から画像信号を出力する。また、再生時にはフラッシュメモリ１０８ａとＪＰＥＧ処理回路１０７ａとの間、または前記ＤＶテープ１０８ｂとＤＶコーデック１０７ｂとの間からデジタル画像信号をＮＴＳＣ画像信号にして画像出力する。１１０は信号出力端子、１１１は液晶ドライバで、ＮＴＳＣエンコーダ１０９と同様のデジタル画像信号を、本体の液晶ディスプレイ１１２に出力する。１１３はシステムコントローラで、前記操作キーから操作を受け付け、操作の実行を行い、また、記録媒体１０８の残量を計算する。またシステムコントローラ１１３は、不図示のメモリからプログラムを読み出し、読み出したプログラムにもとづき様々な処理を実行する。本実施形態では、システムコントローラ１１３は、ユーザによって指定されたプリント設定等のモードに応じて記録及びプリント処理の制御、印刷用紙サイズまたはアスペクト比の情報設定、及び液晶ディスプレイ１１２に表示させる印刷領域枠の計算をする。また、ユーザによるボタン操作に応じて、印刷表示枠を液晶ディスプレイに表示させるときの表示制御等も行う。１１４はカメラコントローラで、各種操作のうち、特にレンズのフォーカス、露出等に関する制御を行う。１１５は使用者の操作を受け付けるズームキーを含む操作キー群、１１６はキャラクタ発生器で、液晶ディスプレイ１１２やビデオ出力端子１１０に重畳する文字情報を発生する。
【００１７】
図２において、２０１はビデオカメラ本体、２０２は液晶ディスプレイ、２０３は操作キー、２０４はフラッシュメモリ、２０５はズームキーである。
【００１８】
図３において、３０１はビデオカメラ本体、３０２はプリンタ装置、３０３はビデオカメラとプリンタを通信接続するケーブル、３０４はビデオカメラの液晶ディスプレイに表示される印刷領域設定画面、３０５はプリンタで印刷された印刷画像である。
【００１９】
次に、表示画像及び印刷領域枠のアスペクト比変更の動作について説明する。
【００２０】
ここで印刷領域枠４０３の大きさは、システムコントローラ１１３において印刷用紙のサイズやアスペクト比の情報により計算され、表示画面に表示されている撮影画像に重畳して表示される。
【００２１】
図４は、印刷領域枠４０３内部に入る撮像画像が最大になるようにした場合の液晶ディスプレイに表示される撮像画像４０２と印刷領域枠４０３の表示の位置関係を示している。図４では、液晶ディスプレイ４０１のアスペクト比が４：３、印刷対象となっている撮像画像４０２のアスペクト比が４：３、印刷する印刷用紙のアスペクト比が４：３となっている。印刷領域枠４０３に対して印刷した画像を図５に示す。撮像画像のアスペクト比と印刷用紙のアスペクト比が同じであるので、印刷画像は撮像画像の全領域を余白なく印刷用紙に印刷する。
【００２２】
図６は、印刷領域枠６０３内部に入る撮像画像が最大になるようにした場合の液晶ディスプレイ６０１に表示される撮像画像６０２と印刷領域枠６０３の表示の位置関係を示している。図６では、液晶ディスプレイ６０１のアスペクト比が４：３、印刷対象となっている撮像画像６０２のアスペクト比が１６：９、印刷する印刷用紙のアスペクト比が４：３となっている。印刷領域枠６０３に対して印刷した画像を図７に示す。撮像画像が印刷用紙に対して横長の画像が印刷される。また、印刷領域枠６０３と撮像画像６０２が液晶ディスプレイ６０１に表示されている位置関係と同じように印刷設定を行うことで、撮像画像６０２と印刷領域枠６０３内部が重ならない部分が印刷用紙に余白として印刷される。
【００２３】
余白を印刷させる画像であるが、余白部にある特定の色を設定（例えば白色）、設定された色で画像処理を行いメモリに格納し、そのデータを印刷させてもよい。
【００２４】
次にズームキー操作による撮像画像及び印刷領域枠の変更動作について説明する。
【００２５】
図６の表示状態からズームキーを操作し印刷領域枠が小さくなるようにした場合を図８に示す。図６は、撮影画像の長辺と印刷領域枠の長辺とが対応している。図８は、撮影画像の短辺と印刷領域枠の短辺とが対応していて、撮像画像の左右が、印刷領域枠からはみ出した状態になる。図８の表示状態から印刷領域枠が大きくなるようにズームキーを操作すると図６の表示状態に戻る。図８の印刷領域枠に対して印刷した画像を図９に示す。印刷領域枠８０３と撮像画像８０２の液晶ディスプレイ８０１に表示されている位置関係と同じように印刷設定を行うことで、撮像画像８０２と印刷領域枠８０３内部が重ならない部分がカットされて印刷用紙に印刷される。
【００２６】
図６の表示状態からズームキーを操作し撮像画像が縮小されて表示した場合を図１０に示す。
【００２７】
液晶ディスプレイ１００１に表示されている撮像画像１００２が縮小して表示される。印刷領域枠１００３は図６の位置と同じ位置に表示される。図１０の印刷領域枠１００３に対して印刷した画像を図１１に示す。印刷領域枠と撮像画像の液晶ディスプレイに表示されている位置関係と同じように印刷設定を行うことで、撮像画像と印刷領域枠が重ならない部分が印刷用紙の余白として印刷される。
【００２８】
操作者によりズームキーが操作され、印刷領域枠拡大縮小が指示されると、印刷領域枠は段階的に変化する。このとき、ある決まった大きさで変化させてもよいし、撮像画像内に印刷領域枠が表示されている場合と印刷領域枠内に撮像画像が表示されている場合とで、印刷領域枠の大きさの変更の仕方を変えてもよい。ただし、ズームキー操作により印刷領域枠を大きくする方向は、印刷領域枠が撮影画像より大きくなり印刷領域枠が変化しなくなった後に撮像画像が縮小する方向と同じ方向とする。つまり、印刷領域枠を拡大する方向にズームキーを操作して、印刷領域枠が撮影画像よりも大きくなると、次は画像が縮小されていくことになる。
【００２９】
こうすることで、画像の拡大縮小と印刷領域枠の拡大縮小の指示を、画像と印刷領域枠の表示状態に応じて一つの指示で行なうことができる。
【００３０】
また、印刷領域枠が撮影画像よりも大きくなった時に、再度ズームキー操作が行われるまで、撮像画像の縮小処理を行わない確認処理をしてもよい。また、印刷領域枠や撮影画像を段階的に変化させていく途中で、撮影画像の長辺の長さと印刷領域枠の長辺の長さがとが近くなったら、例えば図６のように、撮影画像の長辺と印刷領域枠の長辺とが対応するように調節して表示させてもよい。
【００３１】
ズームキーの操作による印刷領域枠の最小値は撮像画像の大きさの半分、最大値は撮像画像の２倍の大きさというようにズームキー操作に最大値と最小値を設け、その範囲内で印刷領域枠を変更させてもよい。
【００３２】
また上記説明における、印刷領域枠が撮影画像よりも大きくなったときというのは、印刷領域枠が撮影画像に内接したときとしてもでもよいし、印刷領域枠が撮影画像に外接したときとしてもよい。
【００３３】
次にキー操作による撮像画像及び印刷領域枠の変更動作について説明する。
【００３４】
撮像画像内に印刷領域枠がある場合は、撮像画像内でのみ印刷領域枠が移動できる。印刷領域枠内に撮像画像がある場合は、印刷領域枠内でのみ撮像画像が移動して表示される。例えば、図１２は、図１０の状態からキー操作で撮像画像１２０２を上部に移動したものを示している。図１３に図１２の状態の印刷設定を行った、印刷した画像を示す。
【００３５】
撮像画像の移動であるが、縦横に余白を入れる設定を行い、移動できる範囲を制限してもよい。
【００３６】
（実施例２）
実施例２では、プリント指定された撮影画像に対して、印刷領域に対して撮影画像を内接させるか概説させるかの設定をする場合の制御方法の例について説明する。
【００３７】
印刷領域を設定するときの印刷パターンとして、次の３つに分ける。１つ目は撮像画像全体を印刷するパターン（図１４）。２つ目は撮像画像の上下、あるいは左右をカットして印刷用紙全体に印刷するパターン（図１５）。３つ目は先に上げた中間で用紙に余白があり、かつ撮像画像の上下あるいは左右の一部をカットするパターン（図１６）。
【００３８】
上記に上げた３つのパターンをプリント指定で印刷する場合に、液晶ディスプレイ上で印刷パターンの選択をさせる（図１７）。
【００３９】
本実施例では、図１７のような印刷パターンメニューからではなく、実施例１のような印刷レイアウトを設定している際に、簡単なズームキーの操作で印刷パターンを設定する方法を説明する。
【００４０】
図１４の印刷領域枠１４０３が撮影画像１４０２に外接している状態から、操作者によりズームキーが操作され、印刷領域枠を縮小させる（または、撮影画像を拡大させる）指示があったとき、液晶ディスプレイは図１５の状態に切りかわる。逆に、図１５の印刷領域枠１５０３が撮影画像１５０２に内接している状態から、操作者によりズームキーが操作され、撮影画像を縮小させる（または、印刷領域枠を拡大させる）指示があったとき、液晶ディスプレイは図１４の状態に切りかわる。
【００４１】
こうすることで、図１７のような特別なメニューを使うことなく簡単なズームキーの操作だけで印刷パターンの設定をすることができる。
【００４２】
実施例１においてもこのようなズームキーによる印刷パターンの切りかえを行なうときは、スームキーが所定時間以上連続して押された場合だけ印刷パターンに切りかえを行なうようにすればよい。
【００４３】
＜その他の応用＞
以上、本発明をその好適な実施形態に基づいて詳述してきたが、本発明はこれら特定の実施形態に限られるものではなく、この発明の要旨を逸脱しない範囲の様々な形態も本発明に含まれる。
【００４４】
本発明の実施形態として、デジタルカメラを用いて説明してきたが、本発明はこれにかぎられるものではない。例えば、画像データを記憶できるモバイル機器、ＤＶＤやＣＤ等の画像再生装置であってもよい。
【００４５】
上記実施例では、拡大の指示がされたときに、印刷領域枠と撮影画像の大きさを比較して、印刷領域枠または撮影画像のどちらを拡大させるかを決定していた。しかし、印刷領域枠と撮影画像ではなく、印刷領域枠と液晶ディスプレイの表示画面を比較して印刷領域枠または撮影画像のどちらを拡大させるかを決定しても本発明の効果は十分得られる。つまり、印刷領域枠の拡大指示により段階的に印刷表示枠を拡大していき、印刷領域枠が液晶ディスプレイに表示できる最大の大きさになったら、次は撮影画像を段階的に縮小させていく。こうすることで、液晶ディスプレイの表示領域を最大限に使うことができるので、液晶ディスプレイが小さいデジタルカメラ等の画像処理装置でも操作者が印刷領域枠を設定しやすいように表示することができる。
【００４６】
また、上記実施例では、ズームキー２０５の操作により画像の拡大縮小指示を、操作キー２０３により画像または印刷領域枠の移動の指示を行ったが、本発明はこのような操作部材に限られるものではない。例えば、ズームキーがないようなカメラ付き携帯電話では、テンキー等で画像の拡大縮小指示や、画像または印刷領域枠の移動の指示を行うようにしてもよい。また、操作部材が少なく、ズームキーがないようなデジタルカメラや携帯電話、画像再生装置等の画像処理装置では、画像の拡大縮小指示と画像または印刷領域枠の移動の指示を操作キー２０３で共有してもよい。このとき、図示しない操作モード切換えボタンの押下に応じて、操作キー２０３は、画像の拡大縮小指示を行う操作キーとなるか、画像または印刷領域枠の移動の指示を行う操作キーとなるかを切換えるようにする。こうすることで、操作部材が少ない画像処理装置でも、操作性を損なわずに本発明を実施することができる。
【００４７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００４８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００４９】
その場合、プログラムの機能を有していれば、オブジェクトコード、インタプリタにより実行されるプログラム、ＯＳに供給するスクリプトデータ等、プログラムの形態を問わない。
【００５０】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【００５１】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００５２】
ここで、プログラムデータファイルは、本発明を形成するコンピュータプログラムを圧縮され自動インストール機能を含むファイル等も含む。
【００５３】
この場合、プログラムデータファイルを複数のセグメントファイルに分割し、セグメントファイルを異なるサーバに配置することも可能である。
【００５４】
つまり、本発明の機能処理をコンピュータで実現するためのプログラムデータファイルを複数のユーザに対してダウンロードさせるサーバ装置も本発明に含む。
【００５５】
また、上述の実施形態の機能を実現するプログラムを暗号化し記憶媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００５６】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれる。
【００５７】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００５８】
【図１】本発明の一形態に係わる、デジタルビデオカメラを示すブロック図である。
【図２】図１のビデオカメラの外観およびその要部を説明する図である。
【図３】デジタルビデオカメラの液晶ディスプレイへの表示とプリンタの印刷画像の一例を示す図ある。
【図４】撮像画像と印刷領域枠の液晶ディスプレイへの表示の一例である。
【図５】図４のような印刷領域枠を設定したの場合の印刷画像の例である。
【図６】撮像画像と印刷領域枠の液晶ディスプレイへの表示の一例である。
【図７】図６のような印刷領域枠を設定したの場合の印刷画像の例である。
【図８】撮像画像と印刷領域枠の液晶ディスプレイへの表示の一例である。
【図９】図８のような印刷領域枠を設定したの場合の印刷画像の例である。
【図１０】撮像画像と印刷領域枠の液晶ディスプレイへの表示の一例である。
【図１１】図１０のような印刷領域枠を設定したの場合の印刷画像の例である。
【図１２】撮像画像と印刷領域枠の液晶ディスプレイへの表示の一例である。
【図１３】図１２のような印刷領域枠を設定したの場合の印刷画像の例である。
【図１４】印刷領域枠が撮影画像に外接している印刷領域枠の一例。
【図１５】印刷領域枠が撮影画像に内接している印刷領域枠の一例。
【図１６】中間印刷で設定される印刷領域枠の一例。
【図１７】印刷パターン選択メニューの表示の一例。
【符号の説明】
【００５９】
１０１  撮影レンズ
１０２  レンズ駆動モータ
１０３  絞り
１０４  撮像素子
１０５  ＣＤＳ／ＡＧＣ
１０６  デジタル信号処理回路
１０７ａ  ＪＰＥＧ処理回路
１０７ｂ  ＤＶコーデック
１０８ａ  記録媒体（フラッシュメモリ）
１０８ｂ  記録媒体（ＤＶテープ）
１０９  ＮＴＳＣエンコーダ
１１０  ＮＴＳＣビデオ出力端子
１１１  液晶ドライバ
１１２  液晶ディスプレイ
１１３  システムコントローラ
１１４  カメラコントローラ
１１５  操作キー群
１１６  キャラクタ発生器
２０１  ビデオカメラ本体
２０２  液晶パネル
２０３  操作キー
２０４  フラッシュメモリ
２０５  ズームキー
３０１  ビデオカメラ本体
３０２  プリンタ本体
３０３  接続ケーブル
３０４  液晶ディスプレイに表示される表示
３０５  プリンタで印刷される印刷画像
４０１  撮像画像
４０２  印刷領域枠
４０３  液晶ディスプレイ
６０１  撮像画像
６０２  印刷領域枠
６０３  液晶ディスプレイ
８０１  撮像画像
８０２  印刷領域枠
８０３  液晶ディスプレイ
１００１  撮像画像
１００２  印刷領域枠
１００３  液晶ディスプレイ
１２０１  撮像画像
１２０２  印刷領域枠
１２０３  液晶ディスプレイ
１４０１  撮像画像
１４０２  印刷領域枠
１４０３  液晶ディスプレイ
１５０１  撮像画像
１５０２  印刷領域枠
１５０３  液晶ディスプレイ
１６０１  撮像画像
１６０２  印刷領域枠
１６０３  液晶ディスプレイ
【図１】
0004785502.tif 000002
【図２】
0004785502.tif 000003
【図３】
0004785502.tif 000004
【図４】
0004785502.tif 000005
【図５】
0004785502.tif 000006
【図６】
0004785502.tif 000007
【図７】
0004785502.tif 000008
【図８】
0004785502.tif 000009
【図９】
0004785502.tif 000010
【図１０】
0004785502.tif 000011
【図１１】
0004785502.tif 000012
【図１２】
0004785502.tif 000013
【図１３】
0004785502.tif 000014
【図１４】
0004785502.tif 000015
【図１５】
0004785502.tif 000016
【図１６】
0004785502.tif 000017
【図１７】
0004785502.tif 000018